(57)【特許請求の範囲】
【請求項１】
所定の範囲内を移動可能な第一可動体、および、この第一可動体とは異なる所定の範囲内を移動可能な第二可動体を有する演出装置を備えた遊技機において、
前記第一可動体および前記第二可動体のそれぞれが移動可能な所定の範囲内には、少なくとも両可動体が互いに接近する位置と離れる位置とが含まれ、
前記演出装置は、第一可動体が移動する領域の少なくとも一部と第二可動体が移動する領域の少なくとも一部とがある面方向に重なるように設定されるとともに、
両可動体が互いに接近する位置まで移動したときに、前記第一可動体の一部と前記第二可動体の一部が、前記面方向に重ならずに、この面方向に交わる方向に重なるように設定され、
前記第一可動体および前記第二可動体は、それぞれ、前記面方向に交わる方向にずれて位置する複数の装飾部材を有し、
前記演出装置は、両可動体が互いに接近する位置まで移動したときには、一方の可動体における前記面方向に交わる方向の一端側に位置する装飾部材の少なくとも一部と、他方の可動体における前記面方向に交わる方向の他端側に位置する装飾部材の少なくとも一部が、前記面方向に重ならずに、前記面方向に交わる方向に重なるように設定され、
前記第一可動体は、第一位置から前記第二可動体に接近する位置である第二位置までの範囲内を移動可能に設定され、
前記第二可動体は、第三位置から前記第一可動体に接近する位置である第四位置までの範囲内を移動可能に設定され、
前記第一位置に位置する前記第一可動体、および、前記第三位置に位置する前記第二可動体は、それぞれ、前記面方向に交わる方向に前記複数の装飾部材が互いに重なった状態にあり、
前記第一可動体が前記第一位置から前記第二位置に、前記第二可動体が前記第三位置から前記第四位置に向かって移動するに従い、前記第一位置および前記第三位置において前記面方向に交わる方向に互いに重なった状態にあった複数の装飾部材のそれぞれが、互いにだんだんと前記面方向に離れていくように構成されており、
前記一方の可動体においては前記一端側に位置する装飾部材の移動量がそれ以外の装飾部材の移動量よりも大きく、前記他方の可動体においては前記他端側に位置する装飾部材がそれ以外の装飾部材の移動量よりも大きくなるように設定され、
前記第一可動体が前記第二位置に、前記第二可動体が前記第四位置に位置したときには、両可動体それぞれの複数の装飾部材は少なくとも一部が他の装飾部材と前記面方向に交わる方向に互いに重なった状態にあり、
複数の駆動側歯車部が一体的に形成された駆動歯車をさらに備え、
前記第一可動体および前記第二可動体が有する複数の装飾部材のそれぞれには、前記駆動歯車の駆動側歯車部に噛合される被動側歯車部が形成され、
各装飾部材の被動側歯車部とそれに噛合する各駆動側歯車部との変速比を異ならせることにより、前記駆動歯車が回動することによって前記第一可動体が前記第一位置から前記第二位置に、前記第二可動体が前記第三位置から前記第四位置に向かって移動するに従い、前記第一位置および前記第三位置において前記面方向に交わる方向に互いに重なった状態にあった複数の装飾部材のそれぞれが、互いにだんだんと前記面方向に離れていくように構成されていることを特徴とする遊技機。
【請求項２】
前記一方の可動体が有する前記一端側に位置する装飾部材の前記面方向に交わる方向における長さは、それ以外の前記一方の可動体が有する一または複数の装飾部材の全ての前記面方向に交わる方向における長さを合算した長さよりも小さく、
前記他方の可動体が有する前記他端側に位置する装飾部材の前記面方向に交わる方向における長さは、それ以外の前記他方の可動体が有する一または複数の装飾部材の全ての前記面方向に交わる方向における長さを合算した長さよりも小さいことを特徴とする請求項１に記載の遊技機。
【請求項３】
前記第一可動体および前記第二可動体が取り付けられるケース体をさらに備え、
前記ケース体には、所定の大きさの第一収容空間および第二収容空間が形成されており、
前記第一位置において前記面方向に交わる方向に互いに重なった状態にある前記第一可動体の複数の装飾部材は、前記第一収容空間内に収容されており、
前記第三位置において前記面方向に交わる方向に互いに重なった状態にある前記第二可動体の複数の装飾部材は、前記第二収容空間内に収容されていることを特徴とする請求項１または請求項２に記載の遊技機。
【請求項４】
前側に遊技領域が設けられるとともに一部が開口した遊技盤をさらに備え、
前記面方向は、前記遊技盤面に平行な面方向であり、
前記面方向に交わる方向は、前記遊技盤面に垂直な方向であることを特徴とする請求項３に記載の遊技機。
【請求項５】
前記第一位置において前記遊技盤面に垂直な方向に互いに重なった状態にある前記第一可動体の複数の装飾部材は、前記第一収容空間内に収容されるとともに前記遊技盤に視認困難となるように覆われており、
前記第三位置において前記遊技盤面に垂直な方向に互いに重なった状態にある前記第二可動体の複数の装飾部材は、前記第二収容空間内に収容されるとともに前記遊技盤に視認困難となるように覆われている一方、
前記第二位置に位置する前記第一可動体の複数の装飾体は、前記第一収容空間の外に位置するとともに前記遊技盤の開口を通じて視認容易であり、
前記第四位置に位置する前記第二可動体の複数の装飾体は、前記第二収容空間の外に位置するとともに前記遊技盤の開口を通じて視認容易であることを特徴とする請求項４に記載の遊技機。
【発明の詳細な説明】
【技術分野】
【０００１】
本発明は、所定の範囲内を移動する可動体を有する演出装置が設けられた遊技機に関する。
【背景技術】
【０００２】
下記特許文献１には、第一可動体（第一可動役物）および第二可動体（第二可動役物）を備えた遊技機の演出装置が記載されている。第一可動体と第二可動体を組み合わせた演出を実行する際には、第一可動体の一方と他方を互いに離れる方向に移動させた上で、その間のスペースに第二可動体が入り込むように前進させる（特許文献１の図５等参照）。
【先行技術文献】
【特許文献】
【０００３】
【特許文献１】特開２００７−２９２５５号公報
【発明の概要】
【発明が解決しようとする課題】
【０００４】
上記特許文献１に記載のように、複数の可動体を有する演出装置の場合、ある可動体を移動させなければ、別の可動体を動作させることができないといった制限がある。つまり、個々の可動体を独立して駆動させることができないから、ある可動体と別の可動体が干渉しないように制御したりする必要がある。
【０００５】
上記実情に鑑み、本発明は、可動体の移動範囲の狭小化を抑制しつつ、複数の可動体を干渉させずに独立して動作させることが可能な遊技機を提供することにある。
【課題を解決するための手段】
【０００６】
上記課題を解決するためになされた請求項１に記載の発明は、遊技機は、所定の範囲内を移動可能な第一可動体、および、この第一可動体とは異なる所定の範囲内を移動可能な第二可動体を有する演出装置を備えた遊技機において、前記第一可動体および前記第二可動体のそれぞれが移動可能な所定の範囲内には、少なくとも両可動体が互いに接近する位置と離れる位置とが含まれ、前記演出装置は、第一可動体が移動する領域の少なくとも一部と第二可動体が移動する領域の少なくとも一部とがある面方向に重なるように設定されるとともに、両可動体が互いに接近する位置まで移動したときに、前記第一可動体の一部と前記第二可動体の一部が、前記面方向に重ならずに、この面方向に交わる方向に重なるように設定され、前記第一可動体および前記第二可動体は、それぞれ、前記面方向に交わる方向にずれて位置する複数の装飾部材を有し、前記演出装置は、両可動体が互いに接近する位置まで移動したときには、一方の可動体における前記面方向に交わる方向の一端側に位置する装飾部材の少なくとも一部と、他方の可動体における前記面方向に交わる方向の他端側に位置する装飾部材の少なくとも一部が、前記面方向に重ならずに、前記面方向に交わる方向に重なるように設定され、前記第一可動体は、第一位置から前記第二可動体に接近する位置である第二位置までの範囲内を移動可能に設定され、前記第二可動体は、第三位置から前記第一可動体に接近する位置である第四位置までの範囲内を移動可能に設定され、前記第一位置に位置する前記第一可動体、および、前記第三位置に位置する前記第二可動体は、それぞれ、前記面方向に交わる方向に前記複数の装飾部材が互いに重なった状態にあり、前記第一可動体が前記第一位置から前記第二位置に、前記第二可動体が前記第三位置から前記第四位置に向かって移動するに従い、前記第一位置および前記第三位置において前記面方向に交わる方向に互いに重なった状態にあった複数の装飾部材のそれぞれが、互いにだんだんと前記面方向に離れていくように構成されており、前記一方の可動体においては前記一端側に位置する装飾部材の移動量がそれ以外の装飾部材の移動量よりも大きく、前記他方の可動体においては前記他端側に位置する装飾部材がそれ以外の装飾部材の移動量よりも大きくなるように設定され、前記第一可動体が前記第二位置に、前記第二可動体が前記第四位置に位置したときには、両可動体それぞれの複数の装飾部材は少なくとも一部が他の装飾部材と前記面方向に交わる方向に互いに重なった状態にあり、複数の駆動側歯車部が一体的に形成された駆動歯車をさらに備え、前記第一可動体および前記第二可動体が有する複数の装飾部材のそれぞれには、前記駆動歯車の駆動側歯車部に噛合される被動側歯車部が形成され、各装飾部材の被動側歯車部とそれに噛合する各駆動側歯車部との変速比を異ならせることにより、前記駆動歯車が回動することによって前記第一可動体が前記第一位置から前記第二位置に、前記第二可動体が前記第三位置から前記第四位置に向かって移動するに従い、前記第一位置および前記第三位置において前記面方向に交わる方向に互いに重なった状態にあった複数の装飾部材のそれぞれが、互いにだんだんと前記面方向に離れていくように構成されているところに特徴を有する。
【０００８】
また、請求項２に記載の発明は、請求項１に記載の遊技機において、前記一方の可動体が有する前記一端側に位置する装飾部材の前記面方向に交わる方向における長さは、それ以外の前記一方の可動体が有する一または複数の装飾部材の全ての前記面方向に交わる方向における長さを合算した長さよりも小さく、前記他方の可動体が有する前記他端側に位置する装飾部材の前記面方向に交わる方向における長さは、それ以外の前記他方の可動体が有する一または複数の装飾部材の全ての前記面方向に交わる方向における長さを合算した長さよりも小さいところに特徴を有する。
【００１２】
また、請求項３に記載の発明は、請求項１または請求項２に記載の遊技機において、前記第一可動体および前記第二可動体が取り付けられるケース体をさらに備え、前記ケース体には、所定の大きさの第一収容空間および第二収容空間が形成されており、前記第一位置において前記面方向に交わる方向に互いに重なった状態にある前記第一可動体の複数の装飾部材は、前記第一収容空間内に収容されており、前記第三位置において前記面方向に交わる方向に互いに重なった状態にある前記第二可動体の複数の装飾部材は、前記第二収容空間内に収容されているところに特徴を有する。
【００１３】
また、請求項４に記載の発明は、請求項３に記載の遊技機において、前側に遊技領域が設けられるとともに一部が開口した遊技盤をさらに備え、前記面方向は、前記遊技盤面に平行な面方向であり、前記面方向に交わる方向は、前記遊技盤面に垂直な方向であるところに特徴を有する。
【００１４】
また、請求項５に記載の発明は、請求項４に記載の遊技機において、前記第一位置において前記遊技盤面に垂直な方向に互いに重なった状態にある前記第一可動体の複数の装飾部材は、前記第一収容空間内に収容されるとともに前記遊技盤に視認困難となるように覆われており、前記第三位置において前記遊技盤面に垂直な方向に互いに重なった状態にある前記第二可動体の複数の装飾部材は、前記第二収容空間内に収容されるとともに前記遊技盤に視認困難となるように覆われている一方、前記第二位置に位置する前記第一可動体の複数の装飾体は、前記第一収容空間の外に位置するとともに前記遊技盤の開口を通じて視認容易であり、前記第四位置に位置する前記第二可動体の複数の装飾体は、前記第二収容空間の外に位置するとともに前記遊技盤の開口を通じて視認容易であるところに特徴を有する。
【発明の効果】
【００１５】
請求項１に記載の発明によれば、第一可動体と第二可動体が接近したとき、第一可動体の一部と第二可動体の一部は、面方向に重ならず、この面方向に交わる方向に重なる。したがって、第一可動体および第二可動体の面方向における大きな移動範囲を確保しつつ、各可動体を独立して自由に動作させることが可能となる。
また、可動体が面方向に交わる方向にずれて位置する複数の装飾部材を備え、一方の可動体における面方向に交わる方向の一端側に位置する装飾部材の少なくとも一部と、他方の可動体における面方向に交わる方向の他端側に位置する装飾部材の少なくとも一部とが、面方向に重ならずに、面方向に交わる方向に重なるように設定されているため、所定の範囲を移動する第一可動体および第二可動体を配置するために確保すべき面方向に交わる方向のスペースの大型化を抑制しつつ、可動体（装飾部材）を面方向に大きく動作させることが可能となる。
また、第一可動体が第一位置に位置するとき、第二可動体が第三位置に位置するとき、面方向に交わる方向に装飾部材が重なった状態となるため、当該状態における第一可動体および第二可動体の占めるスペースを小さくすることが可能となる。
また、面方向に交わる方向に互いに重なった状態にあった複数の装飾部材のそれぞれが、互いにだんだんと面方向に離れていくように（装飾部材が面方向に広がるように）動作するよう構成され、第一可動体が第二位置に、第二可動体が第四位置に位置したときに、両可動体が有する装飾部材の少なくとも一部が他の装飾部材と面方向に交わる方向に互いに重なった状態となる。つまり、ある装飾部材の少なくとも一部が他の装飾部材と重なった状態を維持しつつ、装飾部材がだんだんと大きく広がっていくような動作形態となる。したがって、可動体（装飾部材）がどのような状態であっても、ある装飾部材の面方向に交わる方向への動きは、その少なくとも一部と重なる別の装飾部材によって規制される。そのため、例えば遊技機に外力が加わったときにおいても、当該外力によってある装飾部材が面方向に交わる方向に大きく位置ずれしてしまうことが抑制される。第一可動体が第二位置に、第二可動体が第四位置に位置するときであっても、ある装飾部材の少なくとも一部が他の装飾部材と重なっているから、一方の可動体における面方向に交わる方向の一端側に位置する装飾部材と他方の可動体における面方向に交わる方向の他端側に位置する装飾部材とが干渉するといった不具合が発生することはない。
また、一の駆動歯車により（当該駆動歯車を駆動させる一の駆動源により）、複数の装飾部材がだんだんと面方向に広がるように各可動体を動作させることが可能となる。
【００１７】
請求項２に記載の発明のように、一方の可動体における面方向に交わる方向の一端側に位置する装飾部材の面方向に交わる方向の長さ、および、他方の可動体における面方向に交わる方向の他端側に位置する装飾部材の面方向に交わる方向の長さを小さくすれば、所定の範囲を移動する第一可動体および第二可動体を配置するために確保すべき面方向に交わる方向のスペースの大型化を抑制することが可能となる。
【００２１】
請求項３に記載の発明のように、第一可動体が第一位置に位置するとき、および、第二可動体が第三位置に位置するときには、面方向に交わる方向に装飾部材が重なった状態にあるから、各可動体を所定の収容空間内に収容した状態とすることが可能となる。
【００２２】
請求項４に記載の発明のように、前側に遊技領域が設けられるとともに一部が開口した遊技盤をさらに備え、面方向が遊技盤面に平行な面方向であり、面方向に交わる方向が遊技盤面に垂直な方向であれば、第一可動体および第二可動体を配置するための遊技盤の垂直方向へのスペースの大型化が抑制できるとともに、第一可動体および第二可動体の遊技盤の面方向における大きな移動範囲を確保しつつ、両可動体の干渉を考慮せずに各可動体を独立して自由に動作させることが可能となる。
【００２３】
請求項５に記載の発明のように、第一可動体が第一位置に位置するとき、および、第二可動体が第三位置に位置するときに、可動体をケース体の収容空間内に収容した上で遊技盤に覆われるようにすれば、可動体を用いた演出を行わないときに可動体をより見えにくくすることが可能となる。つまり、可動体を隠すべきときにはしっかりと隠すことにより、可動体が見えてしまうことによる趣向性の低減を抑制することが可能となる。
【図面の簡単な説明】
【００２４】
【図１】本発明の一実施形態にかかる遊技機の正面図である。
【図２】図１に示した遊技機が備える遊技盤の正面図であり、遊技盤の開口から演出装置の可動体が視認可能な位置（第一可動体が第二位置、第二可動体が第四位置）に位置した状態を示したものである。
【図３】図１に示した遊技機が備える裏ユニットの外観図斜視図である。
【図４】図３に示した裏ユニットにケース体および演出装置（可動体）が組付けられた組体の外観斜視図である。
【図５】図４に示した組体において、第一可動体が第二位置、第二可動体が第四位置に位置した状態を示したものである。
【図６】ケース体に演出装置（可動体）が組付けられた組体の正面図である（右側の被覆壁が取り外された状態）。
【図７】図６に示した組体において、第一可動体が第二位置、第二可動体が第四位置に位置した状態を示したものである。
【図８】ケース体に演出装置（可動体）が組付けられた組体の外観斜視図であり、第一可動体が第二位置、第二可動体が第四位置に位置した状態を示したものである。
【図９】ケース体、可動体、および被覆壁を分解したものを前方から見た斜視図である。
【図１０】ケース体、可動体、および被覆壁を分解したものを後方から見た斜視図である。
【図１１】第一駆動歯車と第一可動体を構成する各装飾部材の関係を示した図である。
【図１２】第二駆動歯車と第二可動体を構成する各装飾部材の関係を示した図である。
【発明を実施するための形態】
【００２５】
以下、本発明にかかる実施形態について図面を参照して詳細に説明する。なお、以下の説明において単に前側（前方）とは遊技機１の手前側（遊技時に遊技者が位置する側）のことであり、単に後側（後方）とは遊技機１の背面側のことである。また、単に左側、右側、上側、下側とは、遊技機１を正面から見た場合の左側、右側、上側、下側のことであり、図１における左側、右側、上側、下側を指す。
【００２６】
つまり、前後方向とは遊技盤９０（遊技盤面）に垂直な方向のことである。また、面方向とは遊技盤９０（遊技盤面）に平行な面方向のことであり、上記前後方向に直交する。本発明における「面方向に交わる方向」は、本実施形態では上記前後方向に相当する。本発明における「ある面方向」は、本実施形態では上記遊技盤９０（遊技盤面）に平行な面方向に相当する。
【００２７】
（遊技機の全体構成）
まず、遊技機１の全体構成について簡単に説明する。図１に示されるように、遊技機１は、所定の奥行きを有する額縁形状の機枠８０を備える。この機枠８０には前面枠８１が取り付けられている。前面枠８１は、その左側縁が機枠８０に回動自在に支持され、前側に開閉可能である。また、前面枠８１には、ガラス枠８２が取り付けられている。ガラス枠８２は、その左側縁が前面枠８１に回動自在に支持され、前側に開閉可能である。
【００２８】
ガラス枠８２の中央の開口部にはガラス板またはプラスチック板等の透明な板が設けられており、遊技者はこの透明な板を通して前側から遊技盤９０を視認できる。また、ガラス枠８２の下部には、払い出された遊技球を発射装置に送るまで貯めておく上皿ユニット８３が設けられている。上皿ユニット８３には、貯留されている遊技球を下皿ユニット８５に流下させる上皿スイッチや、貸し出し可能な貸し球を払い出す球貸しスイッチ等が設けられている。また、ガラス枠８２の上部左右両側には、スピーカ８４が設けられている。
【００２９】
前面枠８１の下部には、払い出された遊技球が上皿ユニット８３に入りきらない場合等に遊技球を貯めることができる下皿ユニット８５や、遊技球を発射操作するためのタッチスイッチを備える発射ハンドル８６等が設けられている。下皿ユニット８５の左側には、表示装置９２に表示される演出に応じて遊技者が操作を行う遊技スイッチ８７が設けられている。
【００３０】
図２に示す遊技盤９０は、ほぼ正方形の合板により成形されており、前面枠８１に着脱可能に取り付けられている。この遊技盤９０には、発射装置から発射された遊技球をガイドする金属製の薄板からなる帯状のガイドレール１１が略円弧形状となるように設けられており、このガイドレール１１によって遊技領域の外郭の一部が形成されている。
【００３１】
遊技盤９０の遊技領域には、表示装置９２、始動入賞口９３１、大入賞口９３２、アウト口９３３などが設けられている。表示装置９２は、例えば液晶表示装置が用いられ、表示装置９２の表示部９２１（表示画面）において特別図柄や普通図柄等が表示される。かかる表示装置９２の表示部９２１は、遊技盤９０に形成された開口９０１を通じて視認可能である。
【００３２】
また、遊技盤９０の遊技領域には、流下する遊技球が衝突することにより遊技球の流下態様に変化を与える障害物としての図示しない遊技釘が複数設けられている。遊技領域を流下する遊技球は、遊技釘に衝突したときの条件に応じて様々な態様に変化する。
【００３３】
さらに、表示装置９２の周辺には、遊技の装飾効果（演出効果）を高めるための演出装置２が設けられている。演出装置２は、表示装置９２と連動して演出動作を行う。かかる演出装置２の構成の詳細については後述する。
【００３４】
なお、図示しないが、遊技機１の背面側には、枠用外部端子基板、表示制御基板、主制御基板、音声制御基板、ランプ制御基板、払出制御基板、発射制御基板、電源基板等の各種基板、カードインターフェース接続部、球寄せ、球タンク、タンクレール、払出装置、発射装置等の各種の遊技機構成部材が設けられている。なお、以下の説明では、主制御基板等の遊技機１の制御を行う構成を一括りに制御手段と称する。
【００３５】
このような遊技機１では、発射ハンドル８６の操作により、発射装置から遊技領域に遊技球を発射し、遊技領域を流下する遊技球が、始動入賞口９３１や大入賞口９３２等の入賞口に入賞すると、所定の数の賞球が払出装置により払い出される。その他、大当たりの抽選方法等は、公知の遊技機の制御方法が適用できるため、説明は省略する。
【００３６】
（演出装置の構成）
以下、遊技機１が備える演出装置２の構成について図２〜図１２を参照して説明する。演出装置２は、遊技機１の制御手段によって制御される遊技演出用の役物である、第一可動体１０および第二可動体２０と、これら可動体や可動体を駆動させる駆動源が取り付けられるケース体３０と、を備える。本実施形態の演出装置２は、二つの第一可動体１０および二つの第二可動体２０を備える。正面から見て、第一可動体１０は表示装置９２の表示部９２１の右上と左下に位置し、第二可動体２０は表示装置９２の表示部９２１の右下と左上に位置する（図２、図５等参照）。
【００３７】
第一可動体１０は複数の装飾部材を有する。本実施形態の第一可動体１０は、三つの装飾部材を有する。各装飾部材は、中心角が１５度程度の扇形状の部材である。図８に示すように、これらの装飾部材は、前後方向にずれて位置する。つまり、面方向で見ると装飾部材は互いに重なるように位置していない。最も前側に位置する装飾部材（以下、第一前装飾部材１１と称する）および最も後側に位置する装飾部材（以下、第一後装飾部材１２と称する）は、その前面に所定の絵柄が施されており、透き通っていない。一方、前後方向において、第一前装飾部材１１と第一後装飾部材１２の間に位置する装飾部材（以下、第一中装飾部材１３と称する）は、透明な合成樹脂材料によって成形された部材であり透き通っている。したがって、第一中装飾部材１３の後側に位置するものは視認可能である。
【００３８】
最も前側に位置する第一前装飾部材１１の厚み、すなわち前後方向における長さ（最も長い部分の長さ）は、それ以外の第一可動体１０が有する一または複数の装飾部材の全ての前後方向における長さ（最も長い部分の長さ）を合算した長さよりも小さく設定されている。本実施形態では、第一前装飾部材１１の前後方向における長さＴ１ｆ（図１１参照）は、第一後装飾部材１２の前後方向における長さＴ１ｒ（図１１参照）と第一中装飾部材１３の前後方向における長さＴ１ｍ（図１１参照）とを合算した長さよりも小さく設定されている。つまり、Ｔ１ｆ＜（Ｔ１ｒ＋Ｔ１ｍ）の関係が成り立つ。
【００３９】
これら扇状の装飾部材の中心側には、被動側歯車部が形成されている。被動側歯車部は、後述する駆動歯車の各駆動側歯車部に噛合する歯車部である。本実施形態では、第一前装飾部材１１に設けられた第一前被動側歯車部１１１の歯車径（ピッチ円直径）が最も小さく、第一後装飾部材１２に設けられた第一後被動側歯車部１２１の歯車径が最も大きく、第一中装飾部材１３に設けられた第一中被動側歯車部１３１の歯車径が第一前被動側歯車部１１１の歯車径よりも大きく、第一後被動側歯車部１２１の歯車径よりも小さい（図１１参照）。
【００４０】
各装飾部材は、それぞれの被動側歯車部の中心に挿通された支持軸３３を回転中心軸として回動自在に支持されている。この第一可動体１０の各装飾部材を支持する支持軸３３は、ケース体３０の右上と左下に設けられている。つまり、第一可動体１０の各装飾部材は、ケース体３０の右上部、または、左下部を支点として回動自在に支持されている。
【００４１】
一方、第二可動体２０も複数の装飾部材を有する。本実施形態の第二可動体２０は、三つの装飾部材を有する。各装飾部材は、中心角が１５度程度の扇形状の部材である。図８に示すように、これらの装飾部材は、前後方向にずれて位置する。つまり、面方向で見ると装飾部材は互いに重なるように位置していない。最も前側に位置する装飾部材（以下、第二前装飾部材２１と称する）および最も後側に位置する装飾部材（以下、第二後装飾部材２２と称する）は、その前面に所定の絵柄が施されており、透き通っていない。一方、前後方向において、第二前装飾部材２１と第二後装飾部材２２の間に位置する装飾部材（以下、第二中装飾部材２３と称する）は、透明な合成樹脂材料によって成形された部材であり透き通っている。したがって、第二中装飾部材２３の後側に位置するものは視認可能である。
【００４２】
最も後側に位置する第二後装飾部材２２の厚み、すなわち前後方向における長さ（最も長い部分の長さ）は、それ以外の第二可動体２０が有する一または複数の装飾部材の全ての前後方向における長さを合算した長さ（最も長い部分の長さ）よりも小さく設定されている。本実施形態では、第二後装飾部材２２の前後方向における長さＴ２ｒ（図１２参照）は、第二前装飾部材２１の前後方向における長さＴ２ｆ（図１２参照）と第二中装飾部材２３の前後方向における長さＴ２ｍ（図１２参照）とを合算した長さよりも小さく設定されている。つまり、Ｔ２ｒ＜（Ｔ２ｆ＋Ｔ２ｍ）の関係が成り立つ。
【００４３】
これら扇状の装飾部材の中心側には、被動側歯車部が形成されている。被動側歯車部は、後述する駆動歯車の各駆動側歯車部に噛合する歯車部である。本実施形態では、第二前装飾部材２１に設けられた第二前被動側歯車部２１１の歯車径（ピッチ円直径）が最も大きく、第二後装飾部材２２に設けられた第二後被動側歯車部２２１の歯車径が最も小さく、第二中装飾部材２３に設けられた第二中被動側歯車部２３１の歯車径が第二前被動側歯車部２１１の歯車径よりも小さく、第二後被動側歯車部２２１の歯車径よりも大きい（図１２参照）。本実施形態では、第二前被動側歯車部２１１の歯車径は、上記第一後被動側歯車部１２１の歯車径と同じであり、第二後被動側歯車部２２１の歯車径は、上記第一前被動側歯車部１１１の歯車径と同じであり、第二中被動側歯車部２３１の歯車径は、上記第一中被動側歯車部１３１の歯車径と同じである。
【００４４】
各装飾部材は、それぞれの被動側歯車部の中心に挿通された支持軸（図示せず）を回転中心軸として回動自在に支持されている。この第二可動体２０の各装飾部材を支持する支持軸は、第一可動体１０の各装飾部材を支持する支持軸３３と対称位置であるケース体３０の右下と左上に設けられている。つまり、第二可動体２０の各装飾部材は、ケース体３０の右下部、または、左上部を支点として回動自在に支持されている。
【００４５】
ケース体３０は、図２に示す遊技盤９０の裏側に設置される枠体である裏ユニット８８（図３参照）に固定された部材であって、第一可動体１０や第二可動体２０、これら可動体を駆動させる駆動源等を支持する。本実施形態では、相対的に上側に位置する上ケース体３１および相対的に下側に位置する下ケース体３２から構成される。ケース体３０は遊技盤９０の後側に固定されているため、遊技者からは直接的に視認することはできない。上ケース体３１と下ケース体３２は、その間の空間（領域）が、遊技盤９０に設けられた開口９０１に対して前後方向に重なるように固定されている。
【００４６】
上ケース体３１および下ケース体３２には、それぞれ一の第一可動体１０（一組の第一装飾部材１１，１２，１３）と一の第二可動体２０（一組の第二装飾部材２１，２２，２３）が取り付けられる。具体的には、上ケース体３１の右側（ケース体３０全体で見ると右上部）と下ケース体３２の左側（ケース体３０全体で見ると左下部）に第一可動体１０が取り付けられ、上ケース体３１の左側（ケース体３０全体で見ると左上部）と下ケース体３２の右側（ケース体３０全体で見ると右下部）に第二可動体２０が取り付けられる。上ケース体３１および下ケース体３２の手前側には被覆壁３１ｗ，３２ｗが設けられている。図９および図１０等に示すように上ケース体３１および下ケース体３２と被覆壁３１ｗ，３２ｗとの間に第一可動体１０および第二可動体２０が設けられる。上ケース体３１および下ケース体３２の本体部分と被覆壁３１ｗ，３２ｗとによって形成される空間が本発明における収容空間に相当する。後述の動作説明で説明するように、第一位置に位置する第一可動体１０は、上ケース体３１の右側および下ケース体３２の左側に形成される第一収容空間３１１内に収容され、第三位置に位置する第二可動体２０は、上ケース体３１の左側と下ケース体３２の右側に形成される第二収容空間３２１内に収容される。
【００４７】
この第一収容空間３１１および第二収容空間３２１は、遊技盤９０に覆われている。ただし、両収容空間は遊技盤９０の開口９０１を挟む上部および下部に覆われており、両収容空間に収まっていた第一可動体１０および第二可動体２０が収容空間外に出る方向に移動する（詳細は後述）と、第一可動体１０および第二可動体２０は遊技盤９０の開口９０１を通じて視認可能となる。
【００４８】
ケース体３０には、各可動体（四つの可動体）を駆動させるための駆動源であるモータ４０が取り付けられている。第一可動体１０を駆動させるためのモータ４０が上ケース体３１の右側および下ケース体３２の左側に取り付けられ、第二可動体２０を駆動させるためのモータ４０が上ケース体３１の左側と下ケース体３２の右側に取り付けられている。つまり、四つの各可動体は独立して動作させることが可能である。
【００４９】
可動体を駆動させる各モータ４０の出力軸には、リンク部材を介して駆動歯車が連繋されている。具体的には、第一可動体１０を駆動させるモータ４０の出力軸には第一駆動歯車４１が連繋されており、第二可動体２０を駆動させるモータ４０の出力軸には第二駆動歯車４２が連繋されている。モータ４０が駆動するとそのモータ４０の出力軸に連繋された駆動歯車が回動する。これら駆動歯車には、被動側歯車部に噛合する三つの駆動側歯車部が一体的に形成されている。
【００５０】
第一駆動歯車４１には、第一大径駆動側歯車部４１１、第一小径駆動側歯車部４１２、および第一中径駆動側歯車部４１３が形成されている。第一大径駆動側歯車部４１１は、最も前側に位置する最も大きな歯車径（ピッチ円直径）の歯車部である。この第一大径駆動側歯車部４１１は、第一可動体１０の第一前装飾部材１１に設けられた第一前被動側歯車部１１１に噛合している。第一小径駆動側歯車部４１２は、最も後側に位置する最も小さな歯車径の歯車部である。この第一小径駆動側歯車部４１２は、第一可動体１０の第一後装飾部材１２に設けられた第一後被動側歯車部１２１に噛合している。第一中径駆動側歯車部４１３は、第一大径駆動側歯車部４１１と第一小径駆動側歯車部４１２の間に位置し、第一大径駆動側歯車部４１１よりも小さく第一小径駆動側歯車部４１２よりも大きな歯車径の歯車部である。この第一中径駆動側歯車部４１３は、第一中装飾部材１３に設けられた第一中被動側歯車部１３１に噛合している。
【００５１】
このように、１）第一駆動歯車４１で最も大きい第一大径駆動側歯車部４１１が第一可動体１０で最も小さい第一前被動側歯車部１１１に噛合し、２）第一駆動歯車４１で中位の第一中径駆動側歯車部４１３が第一可動体１０で中位の第一中被動側歯車部１３１に噛合し、３）第一駆動歯車４１で最も小さい第一小径駆動側歯車部４１２が第一可動体１０で最も大きい第一後被動側歯車部１２１に噛合している。つまり、１）から３）にかけてだんだんと変速比（駆動側歯数／被動側歯数）が大きくなる。したがって、第一駆動歯車４１が所定量回転したときの各被動側歯車部の回転量は、第一前被動側歯車部１１１が最も大きく、第一後被動側歯車部１２１が最も小さいことになる。
【００５２】
一方、第二駆動歯車４２には、第二大径駆動側歯車部４２１、第二小径駆動側歯車部４２２、および第二中径駆動側歯車部４２３が形成されている。第二駆動歯車４２は、上記第一駆動歯車４１と逆の順序で各歯車部が前後方向に並ぶ。つまり、第二大径駆動側歯車部４２１は、最も後側に位置する最も大きな歯車径（ピッチ円直径）の歯車部であり、第二可動体２０の第二後装飾部材２２に設けられた第二後被動側歯車部２２１に噛合している。第二小径駆動側歯車部４２２は、最も前側に位置する最も小さな歯車径の歯車部であり、第二可動体２０の第二前装飾部材２１に設けられた第二前被動側歯車部２１１に噛合している。第二中径駆動側歯車部４２３は、第二大径駆動側歯車部４２１と第二小径駆動側歯車部４２２の間に位置し、第二大径駆動側歯車部４２１よりも小さく第二小径駆動側歯車部４２２よりも大きな歯車径の歯車部であって、第二中装飾部材２３に設けられた第二中被動側歯車部２３１に噛合している。
【００５３】
このように、１）第二駆動歯車４２で最も大きい第二大径駆動側歯車部４２１が第二可動体２０で最も小さい第二後被動側歯車部２２１に噛合し、２）第二駆動歯車４２で中位の第二中径駆動側歯車部４２３が第二可動体２０で中位の第二中被動側歯車部２３１に噛合し、３）第二駆動歯車４２で最も小さい第二小径駆動側歯車部４２２が第二可動体２０で最も大きい第二前被動側歯車部２１１に噛合している。つまり、１）から３）にかけてだんだんと変速比（駆動側歯数／被動側歯数）が大きくなる。したがって、第二駆動歯車４２が所定量回転したときの各被動側歯車部の回転量は、第二後被動側歯車部２２１が最も大きく、第二前被動側歯車部２１１が最も小さいことになる。
【００５４】
（演出装置の動作）
以下、上記構成を備える演出装置２の動作について説明する。演出装置２が有する各可動体は、上述したように独立して動作可能である。
【００５５】
第一可動体１０は、第二可動体２０から最も離れる第一位置から第二可動体２０に最も接近する第二位置まで移動可能である。第一位置に位置する第一可動体１０は、第一前装飾部材１１、第一後装飾部材１２、および第一中装飾部材１３（の大部分）が前後方向に重なり合った状態にある（図６参照）。この第一位置に位置する第一可動体１０は、ケース体３０に形成された第一収容空間３１１内に収まっている（図４、図６参照）。つまり、第一可動体１０は、扇形状の各装飾部材が互いに重なり合った状態で、上ケース体３１の右側および下ケース体３２の左側に形成される第一収容空間３１１内に収まっている。この第一収容空間３１１は遊技盤９０に覆われている。したがって、第一位置に位置する第一可動体１０はその全体が遊技盤９０に覆われている。そのため、第一位置に位置する第一可動体１０は遊技者にとって視認困難な状態にある。
【００５６】
第一位置に位置する第一可動体１０を第二位置に向けて移動させるときには、モータ４０を駆動し第一駆動歯車４１を一方に回転させる。上述したように、１）第一駆動歯車４１で最も大きい第一大径駆動側歯車部４１１が第一可動体１０で最も小さい第一前被動側歯車部１１１に噛合し、２）第一駆動歯車４１で中位の第一中径駆動側歯車部４１３が第一可動体１０で中位の第一中被動側歯車部１３１に噛合し、３）第一駆動歯車４１で最も小さい第一小径駆動側歯車部４１２が第一可動体１０で最も大きい第一後被動側歯車部１２１に噛合しているため、１）から３）にかけてだんだんと変速比が大きくなる。したがって、第一駆動歯車４１の回転量に対する歯車部の回転量は、変速比が最も小さい第一前被動側歯車部１１１が最も大きくなり、変速比が最も大きい第一後被動側歯車部１２１が最も小さくなる。換言すれば、第一駆動歯車４１の回転量に対する装飾部材の移動量は、第一前装飾部材１１が最も大きく、第一後装飾部材１２が最も小さい。
【００５７】
したがって、第一駆動歯車４１が回転するに従い、第一前装飾部材１１、第一中装飾部材１３、および第一後装飾部材１２の移動量の差が大きくなっていく。つまり、第一可動体１０は、第一前装飾部材１１を先頭にして互いにだんだんと面方向に離れていきながら第二位置に向けて移動する。第一駆動歯車４１が所定量回転すると、第一可動体１０は第二位置に位置した状態となる（図２、図５、図７、図８参照）。第二位置に位置する第一可動体１０は、第二可動体２０に近い方から第一前装飾部材１１、第一中装飾部材１３、第一後装飾部材１２の順で並び、扇のような形状の役物を構築する。上述したように、第一中装飾部材１３は透明であるから、表示部９２１における第一中装飾部材１３に重なる部分に映像を表示すれば、当該映像が扇の中央部分の柄となって表れることになる。
【００５８】
この第一可動体１０が第二位置に位置した状態において、第一前装飾部材１１、第一中装飾部材１３、および第一後装飾部材１２のそれぞれは、その少なくとも一部が他の装飾部材と前後方向に重なった状態にある。具体的には、第一前装飾部材１１は、その一方側の側縁で第一中装飾部材１３と重なっており、第一後装飾部材１２は、その一方側の側縁で第一中装飾部材１３と重なっている。つまり、第一中装飾部材１３は、その一方側の側縁で第一前装飾部材１１と重なり、他方側の側縁で第一後装飾部材１２と重なっている。このように、第二位置に位置する第一可動体１０は、各装飾部材の少なくとも一部が互いに重なり合って前後方向に階段状に並んだ構造物である。
【００５９】
このように、第一可動体１０の各装飾部材の前後方向への動きは、ある装飾部材の少なくとも一部が他の装飾部材と前後方向に重なった状態を維持しつつ、装飾部材がだんだんと大きく広がっていくような動作形態となる。したがって、第一可動体１０がどのような状態であっても、ある装飾部材の前後方向への動きは、その少なくとも一部と重なる別の装飾部材によって規制される。そのため、例えば遊技機に外力が加わったときにおいても、当該外力によってある装飾部材が前後方向に大きく位置ずれしてしまうことが抑制される。また、これによって第一可動体１０が第二位置に位置しているとき、ある一つの装飾部材が前後方向に動いたために、第一可動体１０を第一位置に移動させることができなくなる（元に戻せなくなる）といった不具合の発生を抑制することができる。
【００６０】
第一可動体１０が第二位置に位置するとき、全ての装飾部材は被動側歯車部が形成された部分を除いて第一収容空間３１１の外側に位置し、遊技盤９０の開口９０１と前後方向に重なる。つまり、第二位置に位置する第一可動体１０はその大部分（装飾部分）が遊技盤９０の開口９０１を通じて視認可能である。
【００６１】
一方、第二可動体２０は、第一可動体１０から最も離れる第三位置から第一可動体１０に最も接近する第四位置まで移動可能である。第三位置に位置する第二可動体２０は、第二前装飾部材２１、第二後装飾部材２２、および第二中装飾部材２３（の大部分）が前後方向に重なり合った状態にある。この第三位置に位置する第二可動体２０は、ケース体３０に形成された第二収容空間３２１内に収まっている。つまり、第二可動体２０は、扇形状の各装飾部材が互いに重なり合った状態で、上ケース体３１の左側および下ケース体３２の右側に形成される第二収容空間３２１内に収まっている。この第二収容空間３２１は遊技盤９０に覆われている。したがって、第三位置に位置する第二可動体２０はその全体が遊技盤９０に覆われている。つまり、第三位置に位置する第二可動体２０は遊技者にとって視認困難な状態にある。
【００６２】
第三位置に位置する第二可動体２０を第四位置に向けて移動させるときには、モータ４０を駆動し第二駆動歯車４２を一方に回転させる。上述したように、１）第二駆動歯車４２で最も大きい第二大径駆動側歯車部４２１が第二可動体２０で最も小さい第二前被動側歯車部２１１に噛合し、２）第二駆動歯車４２で中位の第二中径駆動側歯車部４２３が第二可動体２０で中位の第二中被動側歯車部２３１に噛合し、３）第二駆動歯車４２で最も小さい第二小径駆動側歯車部４２２が第二可動体２０で最も大きい第二後被動側歯車部２２１に噛合しているため、３）から１）にかけてだんだんと変速比が大きくなる。したがって、第二駆動歯車４２の回転量に対する歯車部の回転量は、変速比が最も小さい第二後被動側歯車部２２１が最も大きくなり、変速比が最も大きい第二前被動側歯車部２１１が最も小さくなる。換言すれば、第二駆動歯車４２の回転量に対する装飾部材の移動量は、第二後装飾部材２２が最も大きく、第二前装飾部材２１が最も小さい。
【００６３】
したがって、第二駆動歯車４２が回転するに従い、第二後装飾部材２２、第二中装飾部材２３、および第二前装飾部材２１の移動量の差が大きくなっていく。つまり、第二可動体２０は、第二後装飾部材２２を先頭にして互いにだんだんと面方向に離れていきながら第四位置に向けて移動する。第二駆動歯車４２が所定量回転すると、第二可動体２０は第四位置に位置した状態となる。第四位置に位置する第二可動体２０は、第一可動体１０に近い方から第二後装飾部材２２、第二中装飾部材２３、第二前装飾部材２１の順で並び、扇のような形状の役物を構築する。上述したように、第二中装飾部材２３は透明であるから、表示部９２１における第二中装飾部材２３に重なる部分に映像を表示すれば、当該映像が扇の中央部分の柄となって表れることになる。
【００６４】
この第二可動体２０が第四位置に位置した状態において、第二前装飾部材２１、第二中装飾部材２３、および第二後装飾部材２２のそれぞれは、その少なくとも一部が他の装飾部材と前後方向に重なった状態にある。具体的には、第二前装飾部材２１は、その一方側の側縁で第二中装飾部材２３と重なっており、第二後装飾部材２２は、その一方側の側縁で第二中装飾部材２３と重なっている。つまり、第二中装飾部材２３は、その一方側の側縁で第二前装飾部材２１と重なり、他方側の側縁で第二後装飾部材２２と重なっている。このように、第四位置に位置する第二可動体２０は、各装飾部材の少なくとも一部が互いに重なり合って前後方向に階段状に並んだ構造物である。
【００６５】
このように、第二可動体２０の各装飾部材の前後方向への動きは、ある装飾部材の少なくとも一部が他の装飾部材と前後方向に重なった状態を維持しつつ、装飾部材がだんだんと大きく広がっていくような動作形態となる。したがって、第二可動体２０がどのような状態であっても、ある装飾部材の前後方向への動きは、その少なくとも一部と重なる別の装飾部材によって規制される。そのため、例えば遊技機に外力が加わったときにおいても、当該外力によってある装飾部材が前後方向に大きく位置ずれしてしまうことが抑制される。また、これによって第二可動体２０が第四位置に位置しているとき、ある一つの装飾部材が前後方向に動いたために、第二可動体２０を第三位置に移動させることができなくなる（元に戻せなくなる）といった不具合の発生を抑制することができる。
【００６６】
第二可動体２０が第四位置に位置するとき、全ての装飾部材は被動側歯車部が形成された部分を除いて第二収容空間３２１の外側に位置し、遊技盤９０の開口９０１と前後方向に重なる。つまり、第四位置に位置する第二可動体２０はその大部分（装飾部分）が遊技盤９０の開口９０１を通じて視認可能である。
【００６７】
このように動作する両可動体は、図８等から明らかなように、第一可動体１０が移動する領域（第一可動領域と称する）の少なくとも一部と第二可動体２０が移動する領域（以下第二可動領域と称する）の少なくとも一部とが面方向に重なるように設定されている。つまり、第一可動体１０を動作させるために確保すべき第一可動領域の少なくとも一部と、第二可動体２０を動作させるために確保すべき第二可動領域の少なくとも一部とは、面方向に重なっている。
【００６８】
そして、両可動体が互いに接近する位置まで移動したとき、すなわち、第一可動体１０が第二位置に位置し、第二可動体２０が第四位置に位置したときには、第一可動体１０の一部と第二可動体２０の一部は、面方向に重ならずに、前後方向に重なるように設定されている。具体的には、第一可動体１０における第二可動体２０に最も近づく第一前装飾部材１１の一部と、第二可動体２０における第一可動体１０に最も近づく第二後装飾部材２２の一部は、図８に示すように面方向には重ならないが、図７に示すように前後方向に重なる（図７において当該重なり部分をＬで示す）。本実施形態では、右上に位置する第一可動体１０の第一前装飾部材１１の一部と右下に位置する第二可動体２０の第二後装飾部材２２の一部、左下に位置する第一可動体１０の第一前装飾部材１１の一部と左上に位置する第二可動体２０の第二後装飾部材２２の一部が、面方向に重ならずに、前後方向に重なる。このような状態となるまで両可動体を駆動させることにより、遊技盤９０の開口９０１から見える表示装置９２の表示部９２１の四隅で「扇」が開いたような演出を遊技者に提供することができる。つまり、第二位置に位置する第一可動体１０と第四位置に位置する第二可動体２０が前後方向に重なる大きさに形成しているにも拘わらず、両可動体を同時に駆動させても干渉することがない。すなわち、両可動体を駆動させる順序や可動領域を制限する必要がなく、両可動体を自由に独立して動作させることが可能である。
【００６９】
以上説明した本実施形態にかかる遊技機によれば、次のような作用効果が奏される。
【００７０】
本実施形態の演出装置２は、第一可動体１０の第一可動領域の少なくとも一部と第二可動体２０の第二可動領域の少なくとも一部が面方向に重なるように動作させるものである。このように動作させる可動体であっても、第二位置に位置する第一可動体１０の一部と第四位置に位置する第二可動体２０の一部とが面方向に重ならずに前後方向に重なるように設定することで、第一可動体１０および第二可動体２０の面方向における大きな移動範囲を確保することができる。つまり、両可動体を面方向に大きく動作させることができ、演出の趣向性を向上させることが可能となる。
【００７１】
特に、本実施形態では、各可動体が前後方向にずれて位置する複数の装飾部材が面方向に広げられてなるもの（本実施形態は「扇」）であることを巧みに利用し、第一可動体１０の最も前側に位置する装飾部材と、第二可動体２０の最も後側に位置する装飾部材が、面方向に重ならずに、前後方向に重なるように設定したものである。このようにすれば、所定の範囲を移動する第一可動体１０および第二可動体２０を配置するために確保すべき前後方向のスペースの大型化を抑制しつつ、可動体（装飾部材）を面方向に大きく動作させることが可能となる。
【００７２】
また、第一可動体１０における最も前側に位置する第一前装飾部材１１の前後方向における長さ（Ｔ１ｆ）は、それ以外の第一可動体１０が有する一または複数の装飾部材の全ての前後方向における長さを合算した長さ（Ｔ１ｒ＋Ｔ１ｍ）よりも小さく設定されている。同様に、第二可動体２０においては、最も後側に位置する第二後装飾部材２２の前後方向における長さ（Ｔ２ｒ）は、それ以外の第二可動体２０が有する一または複数の装飾部材の全ての前後方向における長さを合算した長さ（Ｔ２ｆ＋Ｔ２ｍ）よりも小さく設定されている。このように、第一可動体１０が第二位置に位置し、第二可動体２０が第四位置に位置するときに前後方向に重なる装飾部材（第一前装飾部材１１、第二後装飾部材２２）の前後方向長さ（厚み）を小さくすれば、第一可動体１０および第二可動体２０を配置するために確保すべき前後方向のスペースの大型化を抑制することが可能となる。
【００７３】
また、第一可動体１０が第一位置に位置するとき、第二可動体２０が第三位置に位置するときには、前後方向に装飾部材が重なった状態となるため、当該状態における第一可動体１０および第二可動体２０の占めるスペースを小さくすることが可能となる。また、第一位置に位置する第一可動体１０および第三位置に位置する第二可動体２０はこのようにコンパクトにまとまっているため、それぞれ、ケース体３０の第一収容空間３１１内や第二収容空間３２１内に収められた状態とすることが可能である。
【００７４】
そして、このように第一収容空間３１１内に収められた第一可動体１０、および、第二収容空間３２１内に収められた第二可動体２０は遊技盤９０に覆われた状態にあるため、可動体を用いた演出を行わないときに可動体は視認困難である。つまり、可動体を隠すべきときにはしっかりと隠すことにより、可動体が見えてしまうことによる演出の趣向性の低減を抑制することが可能となる。
【００７５】
また、演出装置２は、前後方向に互いに重なった状態にあった複数の装飾部材のそれぞれが、互いにだんだんと面方向に離れていくように（装飾部材が面方向に広がるように）動作する。また、第一可動体１０が第二位置に、第二可動体２０が第四位置に位置したときに、両可動体が有する装飾部材の少なくとも一部が他の装飾部材と前後方向に互いに重なった状態にある。したがって、演出装置２の動作は、ある装飾部材の少なくとも一部が他の装飾部材と重なった状態を維持しつつ、装飾部材がだんだんと大きく広がっていくような形態となる。そのため、可動体（装飾部材）がどのような状態であっても、ある装飾部材の前後方向への動きは、その少なくとも一部と重なる別の装飾部材によって規制される。例えば、遊技機に外力が加わったときにおいても、当該外力によってある装飾部材が前後方向に大きく位置ずれしてしまうことが抑制される。第一可動体１０が第二位置に、第二可動体２０が第四位置に位置するとき、すなわち、第一可動体１０の第一前装飾部材１１の一部と第二可動体２０の第二後装飾部材２２の一部が前後方向に重なるときであっても、ある装飾部材の少なくとも一部が他の装飾部材と重なっているから、第一前装飾部材１１と第二後装飾部材２２が干渉するといった不具合が発生することはない。
【００７６】
また、本実施形態にかかる演出装置２のように、駆動歯車の各駆動側歯車部と各装飾部材の被動側歯車部の変速比を異ならせることにより、一の駆動歯車により（当該駆動歯車を駆動させる一の駆動源により）、複数の装飾部材がだんだんと面方向に広がるように各可動体を動作させることが可能となる。
【００７７】
また、第一可動体１０が第一位置に位置するとき、および、第二可動体２０が第三位置に位置するときには、面方向に交わる方向に装飾部材が重なった状態にあるから、各可動体を所定の収容空間内に収容した状態とすることが可能となる。
【００７８】
以上、本発明の実施の形態について詳細に説明したが、本発明は上記実施の形態に何ら限定されるものではなく、本発明の要旨を逸脱しない範囲で種々の改変が可能である。
【００７９】
例えば、上記実施形態では、遊技盤面方向を本発明における「ある面方向」とし、遊技盤面に垂直な方向、すなわち前後方向を本発明における「面方向に交わる方向」とするものであることを説明したが、基準となる「面」の方向はどのような方向であってもよい。また、面に交わる方向も垂直な方向に限られない。
【符号の説明】
【００８０】
１      遊技機
２      演出装置
１０    第一可動体
１１    第一前装飾部材
１１１  第一前被動側歯車部
１２    第一後装飾部材
１２１  第一後被動側歯車部
１３    第一中装飾部材
１３１  第一中被動側歯車部
２０    第二可動体
２１    第二前装飾部材
２１１  第二前被動側歯車部
２２    第二後装飾部材
２２１  第二後被動側歯車部
２３    第二中装飾部材
２３１  第二中被動側歯車部
３０    ケース体
３１    上ケース体
３１１  第一収容空間
３２    下ケース体
３２１  第二収容空間
４０    モータ
４１    第一駆動歯車
４１１  第一大径駆動側歯車部
４１２  第一小径駆動側歯車部
４１３  第一中径駆動側歯車部
４２    第二駆動歯車
４２１  第一大径駆動側歯車部
４２２  第一小径駆動側歯車部
４２３  第一中径駆動側歯車部
【図１】
0005292455.tif 000002
【図２】
0005292455.tif 000003
【図３】
0005292455.tif 000004
【図４】
0005292455.tif 000005
【図５】
0005292455.tif 000006
【図６】
0005292455.tif 000007
【図７】
0005292455.tif 000008
【図８】
0005292455.tif 000009
【図９】
0005292455.tif 000010
【図１０】
0005292455.tif 000011
【図１１】
0005292455.tif 000012
【図１２】
0005292455.tif 000013